(57)【特許請求の範囲】
【請求項１】
撮像装置と、撮像装置によって撮影した画像を表示する画像表示装置と、撮像装置によって撮影した画像とサムネイル画像を記録媒体に記録する画像記録回路と、記録媒体に記録されている複数枚のサムネイル画像を所定の複数枚数ずつ画像表示装置に切換え表示する画像切換え表示回路とを具えたデジタルカメラにおいて、前記画像切換え表示回路は、
画像表示装置に表示されている所定の複数枚数のサムネイル画像を、前記所定の複数枚数以下の枚数だけ前或いは後にずれた所定の複数枚数のサムネイル画像に切り換える通常送り手段と、
画像表示装置に表示されている所定の複数枚数のサムネイル画像を、前記所定の複数枚数を超える枚数だけ前或いは後にずれた所定の複数枚数のサムネイル画像に切り換える早送り手段と、
通常送り手段による画像切換え方式、及び早送り手段による画像切換え方式の内、何れか一方の画像切換え方式を選択するための選択操作手段と、
画像表示装置に表示されている所定の複数枚数のサムネイル画像を切り換える際に操作すべき切換え操作手段と、
前記切換え操作手段が操作されたとき、前記選択された画像切換え方式が通常送り手段による画像切換え方式である場合に通常送り手段に対して画像切換え動作の実行を指令する一方、前記選択された画像切換え方式が早送り手段による画像切換え方式である場合に早送り手段に対して画像切換え動作の実行を指令する実行指令手段
とを具えていることを特徴とするデジタルカメラ。
【請求項２】
早送り手段による画像切換えの際に前或いは後にずらす枚数を設定することが可能であって、前記画像切換え表示回路は、更に、送り枚数を入力するための入力手段と、送り枚数を格納するための格納手段と、ユーザにより入力された送り枚数を格納手段に格納する情報処理手段とを具え、早送り手段は、実行指令手段からの動作実行指令を受けて、画像表示装置に表示されている所定の複数枚数のサムネイル画像を、格納手段に格納されている送り枚数だけ前或いは後にずれた所定の複数枚数のサムネイル画像に切り換える請求項１に記載のデジタルカメラ。
【請求項３】
前記画像切換え表示回路は、更に、何れの画像切換え方式が選択されているかを視覚的に表示する切換え方式表示手段を具えている請求項１又は請求項２に記載のデジタルカメラ。
【請求項４】
前記画像切換え表示回路は、記録媒体に記録されている複数枚のサムネイル画像を撮影順序に従って画像表示装置に切換え表示するものであって、更に、画像表示装置に表示される各サムネイル画像について撮影順序を表わす番号を画像表示装置に表示する番号表示手段を具えている請求項１乃至請求項３の何れかに記載のデジタルカメラ。
【発明の詳細な説明】
【０００１】
【発明の属する技術分野】
本発明は、撮像装置によって撮影された画像をデジタルデータとして記録媒体に記録するデジタルカメラに関するものである。
【０００２】
【従来の技術】
従来より、ＣＣＤ(固体撮像素子)によって撮影した画像をデジタルデータとしてメモリカードや内蔵メモリ等の記録媒体に記録するデジタルカメラが知られている。
この種のデジタルカメラにおいては、ユーザがシャッター釦を押下すると、ＣＣＤによって撮影された画像の撮像データは、デジタルデータに変換された後、周知の圧縮方式により圧縮され、これによって得られる圧縮画像データが、画像ファイルとしてメモリカードに記録される。この際、画像ファイルには、画像撮影の順序に従って連続番号が付与される。
【０００３】
又、この種のデジタルカメラは、記録媒体に記録されている複数枚の画像を所定枚数ずつ、例えば９枚ずつＬＣＤ(液晶ディスプレイ)に切換え表示することが可能である。
図９は、ユーザによる画像切換え操作によって、ＬＣＤに表示されている９枚の画像が切り替わる例を表わしている。尚、図９においては、ＣＣＤによって撮影された画像は図示が省略されており、図中の番号は、画像ファイルの番号を表わしている。
例えば、同図(ｂ)に示す如く１２６０番から１２６８番までの画像がＬＣＤに表示されている状態で、ユーザが、左向きの矢印キーを押下すると、同図(ａ)に示す如く１２５４番から１２６２番までの画像がＬＣＤに表示される。
一方、ユーザが、右向きの矢印キーを押下すると、同図(ｃ)に示す如く１２６６番から１２７４番までの画像がＬＣＤに表示される。
この様にして、ユーザはＬＣＤを見ながら画像切換え操作を行なうことによって、目的の画像をＬＣＤに表示させることが出来る。
【０００４】
【発明が解決しようとする課題】
ところで、近年のメモリ技術の発達によってメモリカードに記録できる画像の枚数が増大しており、メモリカードによっては、１０００枚程度の画像を記録することが可能なものもある。
しかしながら、従来のデジタルカメラにおいては、図９に示す如く、１回の画像切換え操作によって、ＬＣＤに表示されている９枚の画像が６枚だけ前或いは後にずれた９枚の画像に切り替わるに過ぎないため、目的の画像がＬＣＤに表示されている９枚の画像から数百枚以上前或いは後に撮影された画像である場合、該画像をＬＣＤに表示させるためには、画像切換え操作を多数回繰り返さねばならず、操作が煩雑で、該画像がＬＣＤに表示されるまでに時間がかかる問題がある。例えば、目的の画像がＬＣＤに表示されている９枚の画像から３００枚だけ後に撮影された画像である場合、ユーザは、画像切換え操作を５０回繰り返さねばならない。
そこで、本発明の目的は、簡易な操作で、且つ短時間で目的の画像を画像表示装置に表示させることが出来るデジタルカメラを提供することである。
【０００５】
【課題を解決する為の手段】
本発明に係るデジタルカメラは、撮像装置と、撮像装置によって撮影した画像を表示する画像表示装置と、撮像装置によって撮影した画像とサムネイル画像を記録媒体に記録する画像記録回路と、記録媒体に記録されている複数枚のサムネイル画像を所定の複数枚数ずつ画像表示装置に切換え表示する画像切換え表示回路とを具えている。そして、前記画像切換え表示回路は、
画像表示装置に表示されている所定の複数枚数のサムネイル画像を、前記所定の複数枚数以下の枚数だけ前或いは後にずれた所定の複数枚数のサムネイル画像に切り換える通常送り手段と、
画像表示装置に表示されている所定の複数枚数のサムネイル画像を、前記所定の複数枚数を超える枚数だけ前或いは後にずれた所定の複数枚数のサムネイル画像に切り換える早送り手段と、
通常送り手段による画像切換え方式、及び早送り手段による画像切換え方式の内、何れか一方の画像切換え方式を選択するための選択操作手段と、
画像表示装置に表示されている所定の複数枚数のサムネイル画像を切り換える際に操作すべき切換え操作手段と、
前記切換え操作手段が操作されたとき、前記選択された画像切換え方式が通常送り手段による画像切換え方式である場合に通常送り手段に対して画像切換え動作の実行を指令する一方、前記選択された画像切換え方式が早送り手段による画像切換え方式である場合に早送り手段に対して画像切換え動作の実行を指令する実行指令手段
とを具えている。
【０００６】
本発明に係るデジタルカメラにおいては、目的のサムネイル画像が画像表示装置に表示されている所定の複数枚数のサムネイル画像から前記所定の複数枚数を大幅に超える枚数だけ前或いは後のサムネイル画像である場合、ユーザは、先ず、早送り手段による画像切換え方式を選択して、目的のサムネイル画像の位置に近い所定の複数枚数のサムネイル画像が表示されるまで画像切換え操作を行ない、目的のサムネイル画像の位置に近い所定の複数枚数のサムネイル画像が表示された時点で、通常送り手段による画像切換え方式を選択して、目的のサムネイル画像が表示されるまで画像切換え操作を行なう。
この様にして、目的のサムネイル画像の位置に近い所定の複数枚数の画像が表示されるまで早送り手段による画像切換えを実行させることによって、目的のサムネイル画像を表示させる際の画像切換え操作の回数を従来のデジタルカメラに比べて減少させることが出来、操作が簡易となる。又、従来のデジタルカメラよりも短い時間で目的のサムネイル画像を表示させることが出来る。
【０００７】
具体的には、早送り手段による画像切換えの際に前或いは後にずらす枚数を設定することが可能であって、前記画像切換え表示回路は、更に、画像の枚数を入力するための入力手段と、画像の枚数を格納するための格納手段と、ユーザにより入力された画像の枚数を格納手段に格納する情報処理手段とを具え、早送り手段は、実行指令手段からの動作実行指令を受けて、画像表示装置に表示されている所定枚数のサムネイル画像を、格納手段に格納されている枚数だけ前或いは後にずれた所定枚数のサムネイル画像に切り換える。
【０００８】
上記具体的構成においては、ユーザは、目的のサムネイル画像が画像表示装置に表示されている所定の複数枚数のサムネイル画像から何枚程度、前或いは後のサムネイル画像であるかを判断し、その判断結果に応じて、早送り手段による画像切換えの際にずらす枚数を入力しておくことが出来る。従って、目的のサムネイル画像を表示させる際の画像切換え操作の回数をより減少させることが出来、操作がより簡易となる。又、より短い時間で目的のサムネイル画像を表示させることが可能となる。
【０００９】
又、具体的には、前記画像切換え表示回路は、更に、何れの画像切換え方式が選択されているかを視覚的に表示する切換え方式表示手段を具えている。
【００１０】
上記具体的構成においては、ユーザは、画像表示装置の表示を見れば、画像切換え操作によって、通常送り手段による画像切換え、或いは早送り手段による画像切換えの何れの画像切換えが実行されるかを認識することが出来る。従って、ユーザは、画像切換え操作によって前記何れの画像切換えが実行されるかを誤認することはなく、誤認のために目的のサムネイル画像を表示させるまでの時間が遅延することはない。
【００１１】
更に具体的には、前記画像切換え表示回路は、記録媒体に記録されている複数枚のサムネイル画像を撮影順序に従って画像表示装置に切換え表示するものであって、更に、画像表示装置に表示される各サムネイル画像について撮影順序を表わす番号を画像表示装置に表示する番号表示手段を具えている。
【００１２】
上記具体的構成においては、ユーザは、画像表示装置に表示されている番号を見れば、通常送り手段による画像切換え、及び早送り手段による画像切換えをそれぞれ何回程度、実行させることによって目的のサムネイル画像が表示されるかを推測することが出来る。
【００１３】
【発明の効果】
本発明に係るデジタルカメラによれば、簡易な操作で、且つ短時間で目的のサムネイル画像を表示させることが出来る。
【００１４】
【発明の実施の形態】
以下、本発明の実施の形態につき、図面に沿って具体的に説明する。
本実施例のデジタルカメラは、図１に示す如く、ＣＣＤ(１)及びＬＣＤ(４)を具えており、ＣＣＤ(１)には、後述の如くデジタル変換処理、画像圧縮処理及び画像伸長処理を行なう画像処理回路(２)が接続される一方、ＬＣＤ(４)には、画像合成処理及びアナログ変換処理を行なう画像合成回路(３)が接続されている。
画像処理回路(２)及び画像合成回路(３)には、制御回路(５)が接続されており、該制御回路(５)に、メモリカード(６)、ＲＡＭ(７)及び入力装置(８)が接続されている。入力装置(８)は、シャッター釦や、後述の如くメモリカード(６)に記録されている複数枚の画像をＬＣＤ(４)に切換え表示する際に操作すべき十字キー等を有している。
【００１５】
上記デジタルカメラは、ＣＣＤ(１)により撮影された画像をメモリカード(６)に記録することが可能な記録モードと、メモリカード(６)に記録されている画像を再生してＬＣＤ(４)に表示することが可能な再生モードの設定が可能である。
カメラが記録モードに設定されている状態では、ＣＣＤ(１)により撮影された画像の撮像データが、画像処理回路(２)に供給されてデジタルデータに変換され、該デジタルデータは、一旦、ＲＡＭ(７)に書き込まれる。ＲＡＭ(７)に書き込まれているデジタルデータは、制御回路(５)により読み出されて画像合成回路(３)に供給され、画像合成回路(３)にてアナログの画像信号に変換された後、ＬＣＤ(４)へ出力される。この結果、ＣＣＤ(１)によって撮影された画像(動画)がＬＣＤ(４)の全画面にリアルタイムで表示されることになる。
【００１６】
この状態で、シャッター釦が押下されると、制御回路(５)は、ＲＡＭ(７)から１フレーム分のデジタルデータを読み出し、読み出したデジタルデータを画像処理回路(２)及び画像合成回路(３)に供給する。
画像処理回路(２)に供給されたデジタルデータは、周知の圧縮方式により圧縮され、これによって得られた圧縮画像データは、制御回路(５)に読み込まれ、画像ファイルとしてメモリカード(６)に書き込まれる。ここで、画像ファイルには、画像撮影の順序に従って連続番号が付与される。
一方、画像合成回路(３)に供給されたデジタルデータは、該回路(３)にてアナログの画像信号に変換された後、ＬＣＤ(４)に出力される。この結果、ＣＣＤ(１)によって撮影された画像(静止画)がＬＣＤ(４)の全画面に表示されることになる。
【００１７】
又、カメラが再生モードに設定されると、制御回路(５)は、メモリカード(６)に記録されている複数枚の画像の内、所定の１枚の画像、即ち、再生モード設定前の記録モードにおいて新たな画像記録が行なわれている場合は、該記録モードにおいて最後に記録された画像、記録モードにて新たな画像記録が行なわれていない場合は、前回の再生モードにおいて最後に再生された画像の圧縮画像データをメモリカード(６)から読み出す。読み出された圧縮画像データは、画像処理回路(２)に供給されて伸長処理が施され、これによって得られた原画像データは、制御回路(５)に読み込まれて画像合成回路(３)に供給され、該回路(３)にてアナログの画像信号に変換された後、ＬＣＤ(４)に出力される。この結果、メモリカード(６)に記録されている複数枚の画像の内、所定の１枚の画像がＬＣＤ(４)の全画面に表示されることになる。
【００１８】
この状態で入力装置(８)の十字キーが押下されると、表示画像の画像ファイル番号より１だけ小さい或いは１だけ大きい画像ファイル番号の画像の圧縮画像データがメモリカード(６)から読み出され、該圧縮画像データに上記手順で伸長処理及びアナログ変換処理が施され、これによって得られたアナログの画像信号がＬＣＤ(４)に出力される。この結果、メモリカード(６)に記録されている複数枚の画像の内、上記表示画像の１枚前或いは後に撮影された画像がＬＣＤ(４)の全画面に表示されることになる。
この様にして、ユーザによる十字キーの押下によって、メモリカード(６)に記録されている複数枚の画像が１枚ずつ切換え表示される。
【００１９】
本発明に係るデジタルカメラは、メモリカード(６)に記録されている複数枚の画像を９枚ずつ切換え表示するマルチ画面モードの設定が可能であって、マルチ画面モードにおいては更に、後述の通常送りモードと早送りモードとの間で切換え設定が可能である。
【００２０】
カメラがマルチ画面モードの通常送りモードに設定されると、制御回路(５)は、メモリカード(６)に記録されている複数枚の画像の内、９枚の画像の圧縮画像データをメモリカード(６)から読み出す。読み出された圧縮画像データは、画像処理回路(２)に供給されて伸長処理が施され、これによって得られた原画像データは、制御回路(５)に読み込まれて画像合成回路(３)に供給される。又、制御回路(５)は、メモリカード(６)から読み出した９枚の画像の画像ファイル番号を表わす番号データを画像合成回路(３)に供給する。画像合成回路(３)では、９枚の画像の原画像データと９枚の画像の番号データとが合成され、これによって得られた合成画像データはアナログの画像信号に変換された後、ＬＣＤ(４)に出力される。この結果、図２に示す如く、メモリカード(６)に記録されている複数枚の画像の内、９枚の画像からなるマルチ画面が、図２に示す如くＬＣＤ(４)に表示されることになる。ここで、各画像上に表示されている番号は、各画像の画像ファイル番号である。図２の例では、画像ファイル番号が１２６０番から１２６８番の画像がＬＣＤ(４)に表示されている。
【００２１】
９枚の表示画像の内、左上の画像上にカーソルが存在する状態で、十字キーの左向きのキーが押下されると、９枚の表示画像の画像ファイル番号から夫々６だけ減算した画像ファイル番号の９枚の画像の圧縮画像データがメモリカード(６)から読み出されて、画像処理回路(２)にて伸長処理が施され、これによって得られた９枚の画像の原画像データが画像合成回路(３)に供給される。又、それら９枚の画像の画像ファイル番号を表わす番号データも画像合成回路(３)に供給されて、該回路(３)にて原画像データと番号データとが合成され、この合成画像データがアナログの画像信号に変換されてＬＣＤ(４)に出力される。この結果、ＬＣＤ(４)に表示されていた９枚の画像から６枚だけ前にずれた９枚の画像がＬＣＤ(４)に表示されることになる。
例えば、図４(ｃ)に示す１２６０番から１２６８番の９枚の表示画像の内、１２６０番の画像上にカーソルが存在する状態で、十字キーの左向きのキーが押下されると、同図(ａ)に示す如く１２５４番から１２６２番の９枚の画像がＬＣＤ(４)に表示されることになる。尚、図４においては、ＣＣＤによって撮影された画像は図示が省略されている。
【００２２】
又、９枚の表示画像の内、右下の画像上にカーソルが存在する状態で、十字キーの右向きのキーが押下されると、９枚の表示画像の画像ファイル番号から夫々６だけ加算した画像ファイル番号の９枚の画像の圧縮画像データがメモリカード(６)から読み出されて、画像処理回路(２)にて伸長処理が施され、これによって得られた９枚の画像の原画像データが画像合成回路(３)に供給される。又、それら９枚の画像の画像ファイル番号を表わす番号データも画像合成回路(３)に供給されて、該回路(３)にて原画像データと番号データとが合成され、この合成画像データがアナログの画像信号に変換されてＬＣＤ(４)に出力される。この結果、ＬＣＤ(４)に表示されていた９枚の画像から６枚だけ後にずれた９枚の画像がＬＣＤ(４)に表示されることになる。
図４の例では、同図(ｃ)に示す１２６０番から１２６８番の９枚の表示画像の内、１２６８番の画像上にカーソルが存在する状態で、十字キーの右向きのキーが押下されると、同図(ｅ)に示す如く１２６６番から１２７４番の９枚の画像がＬＣＤ(４)に表示されることになる。
この様にして、マルチ画面モードの通常送りモードにおいては、９枚の表示画像の内、左上或いは右下の画像上にカーソルが存在する状態で、十字キーの左向きのキー或いは右向きのキーが押下されることによって、前記９枚の表示画像が６枚だけ前或いは後にずれた９枚の画像に切り換えられる。
尚、９枚の表示画像の内、左上の画像及び右下の画像以外の画像上にカーソルが存在する状態で、十字キーの左向きのキー、右向きのキー、上向きのキー或いは下向きのキーが押下された場合は、カーソルの位置が移動することになる。
【００２３】
これに対し、カメラがマルチ画面モードの早送りモードに設定されると、画像合成回路(３)では、上述の如く得られた合成画像データは、ＬＣＤ(４)に表示される９枚の画像の背景画面の色を通常送りモードでの色とは異なる色、例えば青色に変化させるための画像処理(以下、背景画像処理という)が施された後、アナログの画像信号に変換されてＬＣＤ(４)に出力される。この結果、ＬＣＤ(４)に表示されている９枚の画像の背景画面が、図３に示す如く、通常送りモードでの背景画面と異なる色に変化することになる。
【００２４】
この状態で十字キーの左向きのキーが押下されると、９枚の表示画像の画像ファイル番号から夫々、予め設定されている送り枚数Ｍ、例えば１００だけ減算した画像ファイル番号の９枚の画像の圧縮画像データがメモリカード(６)から読み出されて、画像処理回路(２)にて伸長処理が施され、これによって得られた９枚の画像の原画像データが画像合成回路(３)に供給される。又、それら９枚の画像の画像ファイル番号を表わす番号データも画像合成回路(３)に供給されて、該回路(３)にて原画像データと番号データとが合成され、この合成画像データは、前記背景画像処理が施された後、アナログの画像信号に変換されてＬＣＤ(４)に出力される。この結果、ＬＣＤ(４)に表示されていた９枚の画像から１００枚だけ前にずれた９枚の画像がＬＣＤ(４)に表示されることになる。
【００２５】
図４の例では、同図(ｃ)に示す如く１２６０番から１２６８番の９枚の画像がＬＣＤ(４)に表示されている状態で、十字キーの左向きのキーが押下されると、同図(ｂ)に示す如く１１６０番から１１６８番の９枚の画像がＬＣＤ(４)に表示されることになる。
【００２６】
又、十字キーの右向きのキーが押下されると、９枚の表示画像の画像ファイル番号から夫々、前記送り枚数Ｍ、即ち１００だけ加算した画像ファイル番号の９枚の画像の圧縮画像データがメモリカード(６)から読み出されて、画像処理回路(２)にて伸長処理が施され、これによって得られた９枚の画像の原画像データが画像合成回路(３)に供給される。又、それら９枚の画像の画像ファイル番号を表わす番号データも画像合成回路(３)に供給されて、該回路(３)にて原画像データと番号データとが合成され、この合成画像データは、前記背景画像処理が施された後、アナログの画像信号に変換されてＬＣＤ(４)に出力される。この結果、ＬＣＤ(４)に表示されていた９枚の画像から１００枚だけ後にずれた９枚の画像がＬＣＤ(４)に表示されることになる。
【００２７】
図４の例では、同図(ｃ)に示す如く１２６０番から１２６８番の９枚の画像がＬＣＤ(４)に表示されている状態で、十字キーの右向きのキーが押下されると、同図(ｄ)に示す如く１３６０番から１３６８番の９枚の画像がＬＣＤ(４)に表示されることになる。
この様にして、マルチ画面モードの早送りモードにおいては、十字キーの左向きのキー或いは右向きのキーが押下されることによって、ＬＣＤ(４)に表示されている９枚の画像が１００枚だけ前或いは後にずれた９枚の画像に切り換えられる。
【００２８】
図５乃至図９は、上記デジタルカメラが再生モードに設定されているときの画像表示手続きを表わしている。
再生スイッチがオンとなってカメラが再生モードに設定されると、先ず、図５のステップＳ１では、メモリカード(６)に画像が記録されているか否かを判断し、ノーの場合は、ステップＳ２に移行してエラー表示を行なった後、手続きを終了する一方、イエスの場合は、ステップＳ３に移行する。
【００２９】
ステップＳ３では、カメラが再生モードに設定される前の記録モードにおいて新たな画像記録が行なわれたか否かを判断し、イエスの場合は、ステップＳ４に移行して、記録モードにおいて最後に記録された画像をＬＣＤ(４)の全画面に表示する一方、ノーの場合は、ステップＳ５に移行して、前回の再生モードにおいて最後に再生した画像をＬＣＤ(４)の全画面に表示する。
【００３０】
続いてステップＳ６では、入力装置(８)の十字キーが押下されたか否かを判断し、十字キーの左向きのキーが押下された場合は、ステップＳ７に移行して、ステップＳ４或いはステップＳ５にて再生した画像の前の画像、即ち、画像ファイル番号が１だけ小さい画像ファイル番号の画像をＬＣＤ(４)の全画面に表示する。十字キーの右向きのキーが押下された場合は、ステップＳ８に移行して、ステップＳ４或いはステップＳ５にて再生した画像の次の画像、即ち、画像ファイル番号が１だけ大きい画像ファイル番号の画像をＬＣＤ(８)の全画面に表示する。十字キーの左向きのキー及び右向きのキーの何れのキーも押下されていない場合は、ステップＳ９に移行して、入力装置(８)の“ＭＯＤＥ”釦が押下されたか否かを判断し、ノーの場合は、ステップＳ１０に移行して、再生スイッチが操作されたか否かを判断する。ステップＳ１０にてイエスと判断された場合は、上記手続きを終了する一方、ノーと判断された場合は、ステップＳ６に戻る。
【００３１】
上記ステップＳ９にてイエスと判断された場合は、図６のステップＳ１１に移行して、モード設定用のアイコンをＬＣＤ(４)に表示した後、ステップＳ１２にて、マルチ画面モード設定用のアイコンが操作されたか否かを判断する。ここで、イエスと判断された場合は、カメラをマルチ画面モードの通常送りモードに設定して、ステップＳ１３にてモード設定用のアイコンの表示を終了した後、図７のステップＳ２１に移行して、後述の画像表示手続きを実行する。
一方、図６のステップＳ１２にてノーと判断された場合は、ステップＳ１４にて、マルチ画面モードの早送りモードにおける送り枚数設定用のアイコンが操作されたか否かを判断し、ノーの場合は、ステップＳ１６に移行する。
ステップＳ１４にてイエスと判断された場合は、ステップＳ１５に移行して、ユーザにより入力された枚数を送り枚数Ｍとして設定した後、ステップＳ１６に移行する。
【００３２】
ステップＳ１６では、“ＭＯＤＥ”釦が押下されたか否かを判断し、ノーの場合は、ステップＳ１２に戻る一方、イエスの場合は、ステップＳ１７に移行して、モード設定用のアイコンの表示を終了した後、図５のステップＳ１０に戻る。
【００３３】
カメラがマルチ画面モードの通常送りモードに設定されると、図７のステップＳ２１では、図２に示す如く、メモリカード(６)に記録されている複数枚の画像の内、９枚の画像からなるマルチ画面をＬＣＤ(４)に表示した後、ステップＳ２２に移行して、十字キーが押下されたか否かを判断する。
十字キーの左向きのキーが押下された場合は、ステップＳ２３に移行して、９枚の表示画像の内、左上の画像上にカーソルが存在するか否かを判断し、ノーの場合は、ステップＳ２４にて、カーソルを１つ前の画像上に移動させた後、ステップＳ２２に戻る。一方、ステップＳ２３にてイエスと判断された場合は、ステップＳ２５にて、９枚の表示画像から６枚だけ前にずれた９枚の画像、即ち９枚の表示画像の画像ファイル番号から夫々６だけ減算した画像ファイル番号の９枚の画像をＬＣＤ(４)に表示して、ステップＳ２２に戻る。
【００３４】
十字キーの右向きのキーが押下された場合は、ステップＳ２６に移行して、９枚の表示画像の内、右下の画像上にカーソルが存在するか否かを判断し、ノーの場合は、ステップＳ２７にて、カーソルを１つ後の画像上に移動させた後、ステップＳ２２に戻る。一方、ステップＳ２６にてイエスと判断された場合は、ステップＳ２８にて、９枚の表示画像から６枚だけ後にずれた９枚の画像、即ち９枚の表示画像の画像ファイル番号に夫々６だけ加算した画像ファイル番号の９枚の画像をＬＣＤ(４)に表示して、ステップＳ２２に戻る。
【００３５】
十字キーの左向きのキー及び右向きのキーの何れのキーも押下されていない場合は、ステップＳ２９に移行して、“ＳＥＴ”釦が押下されたか否かを判断し、イエスの場合は、ステップＳ３０にて、カーソル位置に表示されている画像をＬＣＤ(４)の全画面に表示して、図５のステップＳ１０に戻る。
一方、ステップＳ２９にてノーと判断された場合は、ステップＳ３１に移行して、“ＩＮＦＯ”釦が押下されたか否かを判断し、イエスの場合は、カメラを早送りモードに設定して、図３に示す如く９枚の画像の背景画面の色が通常送りモードでの色と異なるマルチ画面を表示した後、図８のステップＳ４１に移行して、後述の画像表示手続きを実行する。
【００３６】
図７のステップＳ３１にてノーと判断された場合は、ステップＳ３２に移行して、“ＭＯＤＥ”釦が押下されたか否かを判断し、ノーの場合は、ステップＳ２２に戻る一方、イエスの場合は、ステップＳ３３にて、カーソル位置に表示されている画像をＬＣＤ(４)の全画面に表示して、図６のステップＳ１１に戻る。
【００３７】
カメラがマルチ画面モードの早送りモードに設定されると、図８のステップＳ４１にて、メモリカード(６)に記録されている画像の枚数が、図６のステップＳ１５にて設定されている送り枚数Ｍを上回るか否かを判断し、ノーの場合は、カメラを通常送りモードに設定して、図７のステップＳ２２に戻る。
一方、ステップＳ４１にてイエスと判断された場合は、ステップＳ４２に移行して、十字キーが押下されたか否かを判断し、十字キーの左向きのキーが押下された場合は、ステップＳ４３にて、９枚の表示画像からＭ枚だけ前にずれた９枚の画像、即ち９枚の表示画像の画像ファイル番号から夫々Ｍだけ減算した画像ファイル番号の９枚の画像をＬＣＤ(４)に表示した後、ステップＳ４２に戻る。
十字キーの右向きのキーが押下された場合は、ステップＳ４４にて、９枚の表示画像からＭ枚だけ後にずれた９枚の画像、即ち９枚の表示画像の画像ファイル番号に夫々Ｍだけ加算した画像ファイル番号の９枚の画像をＬＣＤ(４)に表示した後、ステップＳ４２に戻る。
【００３８】
十字キーの左向きのキー及び右向きのキーの何れのキーも押下されていない場合は、ステップＳ４５に移行して、“ＩＮＦＯ”釦が押下されたか否かを判断し、ノーの場合はステップＳ４２に戻る一方、イエスの場合は、カメラを通常送りモードに設定して、図７のステップＳ２２に戻る。
【００３９】
上記手続きによれば、マルチ画面モードの通常送りモードにおいて、９枚の表示画像の内、左上或いは右上の画像上にカーソルが存在する状態で、十字キーの左向きのキー或いは右向きのキーが押下されると、前記９枚の表示画像から６枚だけ前或いは後にずれた９枚の画像がＬＣＤ(４)に表示されることになる。
一方、マルチ画面モードの早送りモードにおいては、十字キーの左向きのキー或いは右向きのキーが押下されると、その時点での９枚の表示画像からＭ枚、例えば１００枚だけ前或いは後にずれた９枚の画像がＬＣＤ(４)に表示されることになる。
【００４０】
本発明のデジタルカメラにおいては、例えば、図４(ｃ)に示す如く１２６０番から１２６８番の画像がＬＣＤ(４)に表示されている状態で、１３７０番の画像をＬＣＤ(４)に表示させんとする際、ユーザは、先ず、カメラをマルチ画面モードの早送りモードに設定した後、十字キーの右向きのキーを押下して、同図(ｄ)に示す如く１３６０番から１３６８番の画像をＬＣＤ(４)に表示させる。次に、ユーザは、“ＩＮＦＯ”釦を押下してカメラを早送りモードから通常送りモードに切り換えた後、十字キーの右向きのキーを押下して、同図(ｆ)に示す如く１３６６番から１３７４番の画像を表示させる。この様に、十字キーに対する２回の操作、及び“ＩＮＦＯ”釦に対する１回の操作を行なうだけで、目的の画像を表示させることが出来る。
【００４１】
これに対し、１回の画像切換え操作によって、ＬＣＤに表示されている９枚の画像が６枚だけ前或いは後にずれた９枚の画像に切り替わるに過ぎない従来のデジタルカメラにおいては、図４(ｃ)に示す如く１２６０番から１２６８番の画像がＬＣＤ(４)に表示されている状態で、１３７０番の画像をＬＣＤ(４)に表示させんとする際、１７回の画像切換え操作を行なわねばならない。
【００４２】
本発明に係るデジタルカメラによれば、上述の例のように、目的の画像の画像ファイル番号が、ＬＣＤ(４)に表示されている９枚の画像の画像ファイル番号を大幅に下回る場合、或いは大幅に上回る場合、目的の画像を表示させる際の操作回数を従来のデジタルカメラに比べて減少させることが出来、操作が簡易となる。又、従来のデジタルカメラに比べて短時間で目的の画像を表示させることが出来る。
【００４３】
又、本発明に係るデジタルカメラにおいては、マルチ画面モードの通常送りモードと早送りモードとで、ＬＣＤ(４)に表示される９枚の画像の背景画面の色が異なるので、ユーザは、ＬＣＤ(４)を見れば、カメラが通常送りモード或いは早送りモードの何れのモードに設定されているかを認識することが出来る。
【００４４】
又、本発明に係るデジタルカメラにおいては、ユーザは、ＬＣＤ(４)に表示されている９枚の画像の画像ファイル番号と目的の画像の画像ファイル番号との差に応じて、送り枚数Ｍを設定すれば、より簡易な操作で、且つより短時間で目的の画像を表示させることが出来る。
【００４５】
更に、本発明に係るデジタルカメラにおいては、マルチ画面モードにおいて、ＬＣＤ(４)に表示される９枚の画像上にそれぞれ、画像ファイル番号が表示されるので、ユーザは、目的の画像を表示させるために、早送りモード及び通常送りモードでそれぞれ何回程度、十字キーを押下すればよいかを認識することが出来る。
【００４６】
尚、本発明の各部構成は上記実施の形態に限らず、特許請求の範囲に記載の技術的範囲内で種々の変形が可能である。
例えば、マルチ画面モードにおいて、ＣＣＤ(１)によって撮影された画像の圧縮画像データと共に記録されているサムネイル画像データに基づいて、図２及び図３に示す如きマルチ画面を表示し、圧縮画像データに基づいて、マルチ画面を構成する９枚の画像の内、１枚の画像をＬＣＤ(４)の全画面に表示することも可能である。
【図面の簡単な説明】
【図１】本発明のデジタルカメラの構成を表わすブロック図である。
【図２】マルチ画面モードの通常送りモードにおいてＬＣＤに表示される画面を表わす図である。
【図３】マルチ画面モードの早送りモードにおいてＬＣＤに表示される画面を表わす図である。
【図４】本発明のマルチ画面モードにおいて画像切換え操作に応じて画面が変化する例を表わす図である。
【図５】再生モードにおける画像表示手続きを表わすフローチャートである。
【図６】再生モードにおけるモード設定手続きを表わすフローチャートである。
【図７】マルチ画面モードの通常送りモードにおける画像表示手続きを表わすフローチャートである。
【図８】マルチ画面モードの早送りモードにおける画像表示手続きを表わすフローチャートである。
【図９】従来のマルチ画面モードにおいて画像切換え操作に応じて画面が変化する例を表わす図である。
【符号の説明】
(１)  ＣＣＤ
(２)  画像処理回路
(３)  画像合成回路
(４)  ＬＣＤ
(５)  制御回路
(６)  メモリカード
(７)  ＲＡＭ
(８)  入力装置
【図１】
0003935671.tif 000002
【図２】
0003935671.tif 000003
【図３】
0003935671.tif 000004
【図４】
0003935671.tif 000005
【図５】
0003935671.tif 000006
【図６】
0003935671.tif 000007
【図７】
0003935671.tif 000008
【図８】
0003935671.tif 000009
【図９】
0003935671.tif 000010